(57)【要約】      （修正有）【課題】バス車体外装部に当該バスの行き先および当該バスの所在位置に適合して需要者に要請される画像情報を有効に表示する。【解決手段】車体外装部に画像表示を行う画像表示装置１０２を備えたラッピングバス１０１と、画像表示装置１０２にネットワーク３０１を介して接続され予め設定された画像情報を前記画像表示装置１０２に送信する外装表示管理装置４０１とを備え、外装表示管理装置４０１が、ラッピングバス１０１の位置情報を取得する機能と、前記位置情報に基づいて前記画像情報の出力表示タイミングを制御する機能とを備えた。【選択図】図１
2009080341.tif 000002
【特許請求の範囲】
【請求項１】
車体外装部に画像表示を行う画像表示装置を備えたラッピングバスと、前記画像表示装置にネットワークを介して接続され予め設定された画像情報を前記画像表示装置に送信する外装表示管理装置とを有する画像配信表示システムであって、
前記外装表示管理装置は、前記ラッピングバスの位置情報を取得する機能と、前記位置情報に基づいて前記画像情報の出力表示タイミングを制御する機能とを備えたことを特徴とする画像配信表示システム。
【請求項２】
前記請求項１に記載の画像配信表示システムにおいて、
前記外装表示管理装置は、予め前記位置情報に対応設定された画像情報を記憶する画像情報記憶部と、前記記憶された位置情報に基づき前記画像情報を前記画像表示装置に送信する外装管理制御部とを備え、この外装管理制御部は、前記画像表示装置に対して前記画像情報の出力表示タイミングを指定する出力制御信号を送信し前記画像情報の出力表示タイミングを制御する出力制御信号送信機能を有することを特徴とした画像配信表示システム。
【請求項３】
前記請求項２に記載の画像配信表示システムにおいて、
前記外装表示管理装置は、予め設定された前記ラッピングバスの停車位置を示す停車位置情報および当該停車位置を含む一定の領域を示す停車位置領域情報を記憶する停車位置情報記憶部を有し、前記外装管理制御部は、前記位置情報が前記停車位置領域情報に含まれる場合に、予め前記位置情報に対応設定された画像情報を出力表示する前記画像表示装置の動作を制御する文字画像出力制御機能を備えたことを特徴とする画像配信表示システム。
【請求項４】
前記請求項３に記載の画像配信表示システムにおいて、
前記画像表示装置は、前記ラッピングバスの車体外装部表面に設置され前記画像情報が表示される出力表示部と、この出力表示部に対して前記画像情報の出力表示を行う画像表示制御手段とを備え、前記画像表示制御手段は、前記外装管理制御部から送り込まれた出力制御信号に基づき前記画像情報の出力表示タイミングを制御する出力表示制御機能を有することを特徴とした画像配信表示システム。
【請求項５】
前記請求項４に記載の画像配信表示システムにおいて、
前記画像表示装置は、前記ネットワークを介して送り込まれた画像情報を格納する画像情報格納部を備え、前記画像表示制御手段は、予め前記画像表示装置が取得した前記ラッピングバスの位置情報に基づいて前記格納された画像情報の出力表示タイミングを制御する出力実行機能を備えたことを特徴とする画像配信表示システム。
【請求項６】
前記請求項４に記載の画像配信表示システムにおいて、
前記画像表示装置は、当該画像表示装置内に設置され前記外装表示管理装置との間の相互通信を行う画像情報通信部と、予め前記ラッピングバスに接続し設けられ前記ラッピングバスの位置情報を管理する高度道路交通システムから前記位置情報を取得する位置情報通信部とを備えたことを特徴とする画像配信表示システム。
【請求項７】
前記請求項４に記載の画像配信表示システムにおいて、
前記画像表示装置は、当該画像表示装置内に設置され前記外装表示管理装置との間の相互通信を行う画像情報通信部と、予め前記ラッピングバスに接続し設けられ前記ラッピングバスの位置情報を検知する全地球測位システムから前記位置情報を取得する位置情報通信部とを備えたことを特徴とする画像配信表示システム。
【請求項８】
前記請求項３、４、または６に記載の画像配信表示システムにおいて、
前記外装表示管理装置は、予め設定された時間帯に対応する画像情報を前記時間帯に応じて前記画像表示装置に送信する時間帯画像送信機能を備え、
前記画像表示装置の画像表示制御部は、前記位置情報および時間帯に基づき前記送信された画像情報の出力表示タイミングを制御する時間帯出力表示制御機能を備えたことを特徴とする画像配信表示システム。
【請求項９】
車体外装部に画像表示を行う画像表示装置を備えたラッピングバスと、前記画像表示装置にネットワークを介して接続され予め設定された画像情報を前記画像表示装置に送信する外装表示管理装置とを有する画像配信表示システムにあって前記画像情報の画像表示を行う画像配信表示方法において、
前記外装表示管理装置が前記ラッピングバスの位置情報を取得する位置情報取得工程と、
取得された位置情報に基づき予め対応設定された画像情報を前記ラッピングバスに送信する画像情報送信工程と、送信された画像情報を受信し格納する画像情報格納工程と、格納された画像情報の出力表示タイミングを制御する出力表示制御工程とを備えたことを特徴とする画像配信表示方法。
【請求項１０】
車体外装部に画像表示を行う画像表示装置を備えたラッピングバスと、前記画像表示装置にネットワークを介して接続され予め設定された画像情報を前記画像表示装置に送信する外装表示管理装置とを有する画像配信表示システムにあって前記画像情報の画像表示を行うための画像配信表示プログラムであって、
前記ラッピングバスの位置情報を取得する位置情報取得機能と、取得された位置情報に基づき予め対応設定された画像情報を前記ラッピングバスに送信する画像情報送信機能と、前記位置情報に基づき前記画像情報の出力表示タイミングを制御する出力表示制御機能とを前記外装表示管理装置の備えたコンピュータに実行させることを特徴とする画像配信表示プログラム。
【発明の詳細な説明】
【技術分野】
【０００１】
本発明は、広告コンテンツを配信するシステムに関し、特に、受信する場所に応じて効果的に広告情報を配信する画像配信表示システム、画像配信表示方法、並びに画像配信表示プログラムに関する。
【背景技術】
【０００２】
バスや電車などの交通機関に特殊フィルムを貼って、車体を広告で覆ったフルラッピング広告はインパクトが大きく、広告効果が大きいと考えられる。
しかしながら、その反面車内に掲示された広告の広告料に比べ、広告料が高額であり、地域に密着した広告クライアントや広告が掲示されたバスの走行場所に適合した情報の広告コンテンツが少ない傾向がある。
又、上記のようにバス車体の外装部にフルラッピング広告を設けるには、車体に貼った特殊フィルムを排気口などの形に合わせて加工を行う必要があり、加工を行う際に車体に傷をつけてしまう可能性が生じる。
また、特殊フィルムをはがす際にも車体の塗装が粘着面と一緒にはがれてしまうという不都合が生じ得る。
【０００３】
これに対して、交通機関の外装に設置されたコンテンツ表示装置にネットワークを介して広告を配信するシステムの一例が開示されている(特許文献１)。
【０００４】
【特許文献１】２００５−１０９６５
【発明の開示】
【発明が解決しようとする課題】
【０００５】
しかしながら、上記特許文献１に記載の関連技術では、バス車体外装部に表示された画像が広告情報(広告コンテンツ)のままである場合、停留所などでバス利用者が、バスの乗車を行う際に外装の表示画像からバス会社や乗車するバス種別を識別したり、バスの路線や行き先を見分けることが困難になるという不都合が生じ得る。
又、バス外装部の側面および後面にフルラッピングが施された場合、バス利用者が誤乗車を行ってしまうといったことが生じ得る。
【０００６】
［発明の目的］
本発明は、上記関連技術の有する不都合を改善し、バス車体外装部に当該バスの行き先を含む需要者の地域的要請に適合した画像情報を有効に表示し得る画像配信表示システム、画像配信表示方法、および画像配信表示プログラムを提供することを目的とする。
【課題を解決するための手段】
【０００７】
上記目的を達成するために、本発明に係る画像配信表示システムでは、車体外装部に画像表示を行う画像表示装置を備えたラッピングバスと、前記画像表示装置にネットワークを介して接続され予め設定された画像情報を前記画像表示装置に送信する外装表示管理装置とを有する画像配信表示システムであって、前記外装表示管理装置は、前記ラッピングバスの位置情報を取得する機能と、前記位置情報に基づいて前記画像表示のタイミングを制御する機能とを備えたことを特徴とする。
【０００８】
又、本発明にかかる画像配信表示方法は、車体外装部に画像表示を行う画像表示装置を備えたラッピングバスと、前記画像表示装置にネットワークを介して接続され予め設定された画像情報を前記画像表示装置に送信する外装表示管理装置とを有する画像配信表示システムにあって前記画像情報の画像表示を行う画像配信表示方法において、前記外装表示管理装置が前記ラッピングバスの位置情報を取得する位置情報取得工程と、取得された位置情報に基づき予め対応設定された画像情報を前記ラッピングバスに送信する画像情報送信工程と、送信された画像情報を受信し格納する画像情報格納工程と、格納された画像情報の出力表示タイミングを制御する出力表示制御工程とを備えたことを特徴とする。
【０００９】
更に、本発明にかかる画像配信表示プログラムは、車体外装部に画像表示を行う画像表示装置を備えたラッピングバスと、前記画像表示装置にネットワークを介して接続され予め設定された画像情報を前記画像表示装置に送信する外装表示管理装置とを有する画像配信表示システムにあって前記画像情報の画像表示を行うための画像配信表示プログラムであって、前記ラッピングバスの位置情報を取得する位置情報取得機能と、取得された位置情報に基づき予め対応設定された画像情報を前記ラッピングバスに送信する画像情報送信機能と、前記位置情報に基づき前記画像情報の出力表示タイミングを制御する出力表示制御機能をコンピュータに実行させることを特徴としている。
【発明の効果】
【００１０】
本発明は、以上のように構成され機能するので、これによると、ラッピングバスの車体外装部に設けられ画像表示を行う画像表示装置と、前記ラッピングバスの所在位置に基づきネットワークを介して前記画像表示を制御する外装表示管理装置とを備えたことにより、前記ラッピングバスの外装部に、当該バス所在位置の地域的要請に適応した画像情報および当該バスの行き先を可変的に表示することができ、このため、前記ラッピングバスの需要者は当該バスの行き先を容易に識別することができる。
【発明を実施するための最良の形態】
【００１１】
［実施形態］
本発明の実施形態は、図１に示すように、車体外装部に画像表示を行う画像表示装置１０２が設けられたラッピングバス１０１と、画像表示装置１０２との間で相互に通信を行うことにより、画像表示装置１０２に対してラッピングバス１０１の位置情報を提供するＧＰＳ２０１と、同じく画像表示装置１０２との間で相互に通信を行い、ラッピングバス１０１の外装部表面における画像の出力表示を管理する外装表示管理装置４０１が、例えばＩＰ網などの汎用的なネットワーク３０１を介して接続された構成となっている。
【００１２】
又、外装表示管理装置４０１は、ネットワーク３０１に接続され、と共に送信を行う管理画像通信部４０２と、この管理画像通信部４０２に接続され画像表示装置１０２における画像情報の出力表示を管理する外装管理制御部４０３と、この外装管理制御部４０３にそれぞれ接続され予め設定された画像情報を保持する広告画像データベース(広告画像ＤＢ)４０４と、予め設定されたラッピングバス１０１の停車位置を示す停車位置情報、およびその停車領域情報を記憶保持する停車領域情報ＤＢ４０５とを備えた構成となっている。
これにより、外装表示管理装置４０１は、ネットワーク３０１を介して複数の画像表示装置１０２を一括して管理することができ、このため各画像表示装置における機能的負担を軽減することができる。
【００１３】
又、上記画像表示装置１０２は、図２に示すように、ラッピングバス１０１の車体外装部表面に設置され、画像情報が表示される出力表示部１０３と、この出力表示部１０３に接続され、ネットワーク３０１を介して送り込まれた画像情報を格納する画像情報格納部と、出力表示部１０３に格納された画像情報を出力表示部１０３に対して出力表示する画像表示制御部１０４と、画像情報格納部１０５およびネットワーク３０１に接続されネットワーク３０１を介して行われる通信の送受信を制御する通信制御部１０６と、バスロケーションシステム(ＧＰＳ２０１)に接続されラッピングバス１０１の位置情報を取得する位置情報通信部１０７を備えた構成となっている。
【００１４】
以下、これを詳説する。
【００１５】
外装表示管理装置４０１の画像管理通信部４０２は、ネットワークを介して送り込まれる、ラッピングバス１０１を特定するバス固有(特定)情報およびラッピングバス１０１の現在位置を示す位置情報を受信し、外装管理制御部４０３に通知する位置特定情報受信機能を有する。
また、画像管理通信部４０２は、外装管理制御部４０３から通知されたバス固有情報および当該バス固有情報に対応して設定された画像情報をネットワークを介して画像表示装置１０２に送信する画像情報送信機能を備えている。
【００１６】
外装管理制御部４０３は、管理画像通信部４０２を介して通知されたラッピングバス１０１の位置情報およびバス固有情報に基づいて、予め広告画像ＤＢ４０４に記憶された画像情報から前記位置情報に対応する画像情報を取得する画像情報選択機能を備えている。
又、外装管理制御部４０３は、停車領域情報４０５に記憶され予め設定されたラッピングバス１０１の停車位置を中心に設定された一定の領域を示す停車位置領域情報と、ラッピングバス１０１の位置情報とを比較すると共に位置情報が停車位置領域情報に含まれるか否かを判別する位置情報領域判別機能を有する。
【００１７】
ここで、外装管理制御部４０３は、停車位置領域情報に前記通知された位置情報が含まれると判別した場合、広告画像ＤＢ４０４から前記位置情報に対応する画像情報(広告画像情報)およびラッピングバス１０１のバス会社や路線を特定するバス種別画像情報(文字情報を含む)を取得する特定画像情報選択機能を有する。
尚、前記通知された位置情報が上記停車位置領域情報に含まれないと判断された場合、外装管理制御部４０３は、位置情報に対応する広告画像情報を取得する。
【００１８】
更に、外装管理制御部４０３は、上記取得された画像情報およびバス種別画像情報を、管理画像通信部４０２に通知する送信画像情報通知機能を備えている。
これにより、外装表示管理装置４０１は、ラッピングバス１０１の位置情報に適した画像情報(広告画像情報)およびバス種別画像情報を選択すると共にラッピングバス１０１側に送信することができる。
【００１９】
又、外装管理制御部４０３は、画像情報格納部１０５に格納された画像情報(広告画像情報およびバス種別画像情報)を出力表示部１０３に出力表示するタイミングを示す画像出力制御信号を生成する出力制御信号生成機能と、生成された画像出力制御信号を管理画像通信部４０２に通知する出力制御信号通知機能を備えている。
これにより、外装管理制御部４０２は、上記画像出力制御信号を介して画像表示制御部１０４の画像出力実行動作、つまり画像情報を出力表示部１０３に出力表示するタイミングを制御することができる。
尚、外装管理制御部４０３は、予め設定された時間帯に対応して設定された画像情報を、設定された時間帯に画像表示装置１０２に送信し画像表示制御部１０４の画像情報出力表示動作を制御する時間帯画像送信制御機能を備えた構成であってもよい。
これにより、外装表示管理装置４０１は、画像表示装置１０２における時間帯に応じた画像情報の出力表示タイミングを制御できる。
【００２０】
広告画像データベース(画像情報記憶部)４０４は、予め設定された広告画像情報およびバス種別画像情報を記憶する画像情報記憶保持機能を備えている。
尚、広告画像データベース(以下「広告画像ＤＢ」という)４０４は、上記バス種別画像情報として文字情報を備えていてもよい。
又、停車領域情報データベース(以下「停車領域情報ＤＢ」という)４０５は、予め設定されたラッピングバス１０１の停車位置を中心に設定された一定の領域を示す停車位置領域情報および長期停車位置情報を記憶する停車位置情報記憶機能を有する。
【００２１】
ネットワーク３０１は、ＩＰ通信を行う無線基地局を含み、外装表示管理装置４０１の管理画像通信部４０２および画像表示装置１０２の通信制御部１０６それぞれに対して無線リンクを提供する機能を備えている。
【００２２】
次に、画像表示装置１０２の出力表示部１０３は、ラッピングバス１０１の車体外部表面に設置され画像表示制御部１０４の制御により画像表示が行われるディスプレイ機能を有する。
尚、この出力表示部は、ラッピングバス１０１を覆うように設置され画像表示を行う特殊フィルム、有機ＥＬ(Electro Luminescence)、ＳＥＤ(Surface-conduction Electron-emitter Display)を用いたディスプレイであってもよい。
【００２３】
画像表示制御部１０４は、ラッピングバス１０１の位置情報に基づいて画像情報格納部１０５に格納された対応画像情報を出力表示部１０３に出力表示する画像情報出力表示機能と、予め前記画像情報に対応して設定された出力制御信号に基づいて、上記画像情報出力表示機能の実行タイミングを制御する出力表示時間制御機能を備えている。
これにより、外装表示管理装置４０１は、画像表示制御部１０４の画像情報出力表示機能の実行タイミングを、画像出力制御信号を介して制御することができる。このため、例えば、ラッピングバス１０１のバス会社を特定するバス会社特定画像情報と位置情報に適合した広告画像情報とを交互に表示するといった画像表示制御を行うことができる。
【００２４】
又、画像表示制御部１０４は、位置情報通信部１０７にラッピングバス１０１の位置情報通知を要求する現在位置通知要求機能を有する。
これにより、画像表示制御部１０４は、ラッピングバス１０１の位置情報を適切なタイミングで取得することができ、このため、ラッピングバス１０１の現在位置情報の変化に迅速に対応して、適応する画像情報を出力表示することができる。
【００２５】
画像情報格納部１０５は、通信制御部１０６を介して格納された画像情報および当該画像情報に対応する位置情報を記憶する画像情報記憶機能を備えている。
又、画像情報格納部１０５は、外装管理制御部４０３から送り込まれた画像出力制御信号を前記画像情報および位置情報に対応させて記憶する出力制御信号記憶機能と、記憶された画像出力制御信号を対応する画像情報が読み出されるのに際し、画像表示制御部１０４に通知する出力制御信号通知機能を備えている。
【００２６】
これにより、画像表示制御部１０４は、画像情報格納部１０５に記憶された画像情報をラッピングバス１０１の位置情報の変化に応じて、位置情報に対応した画像情報を読み出すことができる。
【００２７】
通信制御部１０６は、外装表示管理装置４０１から送り込まれた画像情報を受信すると共に当該画像情報を画像情報格納部１０５に格納する画像情報受信格納機能を有する。
又、通信制御部１０６は、位置情報通信部１０７から通知された位置情報およびラッピングバス１０１を特定するバス固有情報をネットワーク３０１を介して外装表示管理装置４０１に送信する位置特定情報送信機能を備えている。
これにより、ラッピングバス１０１の位置情報およびバス固有情報をネットワーク３０１を介して外装表示管理装置４０１に通知することができる。
【００２８】
尚、上記位置特定情報送信機能は、位置情報通信部１０７が位置情報を検地し通信制御部１０６に通知するのに応じて実行する設定としてもよい。
これにより、外装表示管理装置４０１は、ラッピングバス１０１の位置変化に応じて迅速にその位置情報を取得することができる。
【００２９】
位置情報通信部１０７は、全地球測位(ＧＰＳ)システム２０１（図１）を介してラッピングバス１０１の現在位置を示す位置情報を検知する位置情報検知機能を有する。
又、位置情報通信部１０７は、前記検知された位置情報およびラッピングバス１０１を特定するバス固有情報を通信制御部１０６に通知する検知情報通知機能を備えている。
これにより、前記検知された位置情報およびバス固有情報をネットワーク３０１を介して外装表示管理装置４０１に通知することができる。
【００３０】
更に、位置情報通信部１０７は、前記検知された位置情報を画像表示制御部１０４に通知する現在位置通知機能を有し、これにより、ラッピングバス１０１の現在位置変化を画像表示制御部１０４に対して迅速に通知することができる。このため、画像表示制御部１０４は、ラッピングバス１０１の現在位置情報の変化に迅速に対応して出力表示される画像情報を可変的に制御することができる。
【００３１】
［実施形態の動作説明］
次に、上記実施形態の動作について説明する。
先ず、外装表示管理装置４０１が、ラッピングバス１０１の位置情報を取得し(位置情報取得工程)、次いで、取得された位置情報に基づいて予め対応設定された画像情報を前記画像表示装置１０２に送信する(画像情報送信工程)。次いで、送信された画像情報を受信すると共に格納し(画像情報格納工程)、格納された画像情報の出力表示タイミングを制御する(出力表示制御工程)。
【００３２】
ここで、上記位置情報取得工程、画像情報送信工程、および出力表示制御工程については、その実行内容をプログラム化し、コンピュータに実行させるように構成してもよい。
【００３３】
次に、上記実施形態の画像配信表示システムの動作について図３のフローチャートに基づいて説明する。
【００３４】
まず、画像表示装置１０２の位置情報通信部１０７は、ＧＰＳシステム２０１を介して、ラッピングバス１０１の現在位置を示す位置情報を検知する(ステップＳ１０１)。次いで、検知された位置情報およびラッピングバス１０１のバス固有情報を、通信制御部１０６が、外装表示管理装置４０１の管理画像通信部４０２に送信する(ステップＳ１０２)。
管理画像通信部４０２は、送信された位置情報およびバス固有情報を受信すると共に外装管理制御部４０３に通知し(位置情報取得工程)、次いで、外装管理制御部４０３は、通知された位置情報(およびバス固有情報）と停車領域情報ＤＢ４０５に格納された停車位置領域情報とを比較して、ラッピングバス１０１が予め設定されたバス停留所の一定距離圏内(停車位置領域内)に位置するか否かの判定を行う(ステップＳ１０３)。
【００３５】
ラッピングバス１０１(画像表示装置１０２)が停車位置領域内に位置しないと判定された場合(つまり、広告表示領域に位置すると判定)、外装管理制御部４０３は、ラッピングバス１０１の位置情報に対応する広告画像情報を読み出し、管理画像通信部４０２が広告画像情報を画像表示装置１０２に送信する(ステップＳ１０４：画像情報送信工程)。
【００３６】
次いで、画像表示装置１０２の通信制御部１０６が、送信された広告画像情報を画像情報格納部１０５に格納し(画像情報格納工程)、この広告画像情報を画像表示制御部１０４が出力表示部１０３に出力表示する(ステップＳ１０５)。尚、ここで、画像表示制御部１０４は、外装管理制御部４０３から送り込まれた出力制御信号に基づき上記広告画像情報の出力表示タイミングを制御してもよい(出力表示制御工程)。
【００３７】
又、上記ステップＳ１０３で、ラッピングバス１０１(画像表示装置１０２)が、停車位置領域内に位置すると判定された場合、外装管理制御部４０３は、ラッピングバス１０１のバス会社を特定するバス会社特定画像情報および前記位置情報に対応する広告画像情報を読み出すと共に、これら画像情報の出力表示タイミングを制御するための出力制御信号を生成する（ステップＳ１０６）。
次いで、管理画像通信部４０２は、上記バス会社特定画像情報および広告画像情報と出力制御信号とを画像表示装置１０２に送信する（ステップＳ１０７）。
尚、上記ステップＳ１０３で、バスターミナルなどの長時間停車位置における一定領域内(長時間停車領域)に位置すると判定された場合も、同様の動作(ステップＳ１０６および１０７)を行う。
【００３８】
次いで、画像表示装置１０２の通信制御部１０６が、送信されたバス会社特定画像情報および広告画像情報を画像情報格納部１０５に格納する(画像情報格納工程)と共に、出力制御信号を画像表示制御部１０４に通知する（ステップＳ１０８）。
次いで、画像表示制御部１０４は、通知された出力制御信号に基づくタイミングで、バス会社特定画像情報および広告画像情報を出力表示部１０３に出力表示する(ステップＳ１０９：出力表示制御工程)。
次いで、位置情報通信部１０７が、画像表示装置１０２の位置情報検出を行う(ステップＳ１０１)。
【００３９】
尚、位置情報通信部１０７による画像表示装置１０２の位置情報検出は、一定の時間間隔で実行される設定であってもよい。
これにより、上記処理ステップが一定の時間間隔で実行することができ、更に、この位置情報検出実行間の時間間隔をより短く設定することにより、ラッピングバス１０１の走行位置に適合した、より効果的な画像表示および画像切替動作を行うことができる。
【００４０】
以上のように、上記実施形態では、ラッピングバス１０１の位置情報を取得し、当該位置情報に対応する場所に適応する広告コンテンツを、ラッピングバス１０１車体の外装部に表示することができる。
又、本実施形態では、外装表示管理装置４０１が、ネットワーク３０１を介して、可変的に画像情報を表示し、且つその画像表示タイミングを制御することができる。
【００４１】
これにより、バスの走行場所や地域に適合した広告コンテンツを効果的に出力表示することができ、更には、バスの乗客(利用者)が上記ラッピングバス１０１に乗車する際に、一見してバスの種別について識別可能な画像情報を表示できる。つまり、バスの乗客が乗降する可能性のある場所、例えば停留所やバスターミナル近辺といった場所においては、バス利用者が乗降する可能性のある時間に、バスの種別を特定する外装画像情報に切替、表示することにより、バス利用者は、バス会社やその走行路線等を一見して特定することができる。
更に、バス車体外装部にネットワークを介して書き換え可能な出力表示装置を備えることにより、ラッピング広告を新規で作成する場合や、ラッピング広告の変更を行う場合に、画像情報を送信することで画像の差し替えが実現可能である。フィルムを貼りなおす必要がないため車体を傷つけることがない。
又、広告コンテンツの表示を日時や、場所基づいて切り売りが可能であり、地域に密着した小さな商店などでも広告コンテンツを掲載することが可能となり得る。
更に、乗客が乗降する可能性のある場所（バスなら停留所やバスロータリー）に停車する少し前には自動的に、どこのバス会社かを特定できる外装に表示を変更可能であって、誤乗車は防ぐことが可能となる。
又、停車時間が長い場所（バスロータリーなど）では、広告コンテンツとバス会社を特定できるバス会社固有の外装とを交互に切り替えて表示することにより広告コンテンツの効果もより大きくなり得る。
【００４２】
［変形例］
次に、前述した実施形態の一部を、図４に示す構成に代替した場合の変形例を示す。
ここで、前述した実施形態と同一の部分については、同一の符号を付するものとする。
又、この変形例は、画像配信表示システムの機器構成部分は、前述した実施形態とほぼ同一の構成を備えており、前述の実施形態における全地球測位システム(ＧＰＳ)２０１に代えて高度道路交通システム(バスロケーションシステム)２０２が導入されている点が前述の実施形態の場合と相違する。
【００４３】
これにより、通信速度が速く、且つ通信の安定した高度道路交通システム２０２を利用するため、画像表示装置１０２は、ラッピングバス１０１の位置情報をより迅速に検知し取得することができ、更には、移動先に適合した画像情報をより迅速に出力表示、又は切り替え表示することができる。
【産業上の利用可能性】
【００４４】
本発明は、広告コンテンツ以外に需要者の要請に適合する情報の掲示手法、情報提供サービスとして利用することができる。
【図面の簡単な説明】
【００４５】
【図１】本発明による画像配信表示システムの一実施例の全体を示す概略構成図である。
【図２】図１に開示した画像配信表示システムの一実施形態における一部構成内容の一例を示すブロック図である。
【図３】図１に開示した画像配信表示システムにおける動作処理ステップを示したフローチャートである。
【図４】本発明による画像配信表示システムの一実施例の全体を示す概略構成図である。
【符号の説明】
【００４６】
１０１  ラッピングバス
１０２  画像表示装置
１０３  出力表示部
１０４  画像表示制御部
１０５  画像情報格納部
１０６  通信制御部
１０７  位置情報通信部
２０１  全地球測位システム(ＧＰＳ)
２０２  高度道路交通システム
３０１  ネットワーク
４０１  外装表示管理装置
４０２  管理画像通信部
４０３  外装管理制御部
４０４  広告画像データベース
４０５  停車領域情報データベース
【図１】
2009080341.tif 000003
【図２】
2009080341.tif 000004
【図３】
2009080341.tif 000005
【図４】
2009080341.tif 000006